(57)【要約】【課題】  本発明は，データの集約化に伴うオーバーヘッドを低減することができるデータ送受信方法などを提供することを目的とする。【解決手段】  本発明のデータ送受信方法では，無線を用いて，複数の個別データを集約化した集約化データが送受信される。データ送信装置は，集約化データをデータ受信装置に送信する際に，個別のデータの区切りに関する区切り情報と，複数の個別データのうち最初に送信される個別データに関する冒頭データ情報とを，集約化データとともに無線信号として送信する。データ受信装置は，冒頭データ情報と，区切り情報とに基づいて，複数の個別データを読み出す順序を決定する。【選択図】図２
2010251990.tif 000002
【特許請求の範囲】
【請求項１】
無線を用いて，複数の個別データを集約化した集約化データを送受信するためのデータ送受信方法であって，
データ送信装置は，
前記集約化データをデータ受信装置に送信する際に，
前記個別のデータの区切りに関する区切り情報と，前記複数の個別データのうち最初に送信される個別データに関する冒頭データ情報とを，前記集約化データとともに無線信号として送信し，
前記データ受信装置は，
前記冒頭データ情報と，前記区切り情報とに基づいて，前記複数の個別データを読み出す順序を決定する，
データ送受信方法。
【請求項２】
前記無線信号は，
前記データ受信装置に最初に送信されるヘッダーと，当該ヘッダーに続いて送信されるサブフレームとを含み，
前記ヘッダーは，
第１のヘッダーと，当該第１のヘッダーに続いて送信される第２のヘッダーとを含み，
前記第１のヘッダーは，
前記冒頭データ情報を含み，
前記第２のヘッダーは，
前記区切り情報を含み，
前記サブフレームは，
前記集約化データを含む，
請求項１に記載のデータ送信方法。
【請求項３】
前記個別データは，
データユニット，又はデータユニットを分割したフラグメントであり，
前記区切り情報は，
フラグメントビットの末尾に割り当てられた１ビットのデータである，
請求項１に記載のデータ送受信方法。
【請求項４】
前記個別データは，
ＭＳＤＵ，又はＭＳＤＵを分割したフラグメントであり，
前記冒頭データ情報は，
第１番目のＭＳＤＵの番号を示す情報と，当該第１番目のＭＳＤＵを構成するフラグメントのうちの第１番目のフラグメントの番号を示す情報であり，
前記区切り情報は，
フラグメントビットの末尾に割り当てられた１ビットのデータである，
請求項１に記載のデータ送受信方法。
【請求項５】
前記区切り情報は，
前記個別データのオフセット値を示す情報を含む，
請求項１に記載のデータ送受信方法。
【請求項６】
無線を用いて，複数の個別データを集約化した集約化データをデータ送信装置から受信するデータ受信装置であって，
前記データ送信装置から，前記集約化データをデータ受信装置に送信する際に，
前記個別のデータの区切りに関する区切り情報と，前記複数の個別データのうち最初に送信される個別データに関する冒頭データ情報とを，前記集約化データとともに受信し，
前記冒頭データ情報と，前記区切り情報とに基づいて，前記複数の個別データを読み出す順序を決定する，
データ受信装置。
【請求項７】
無線を用いて，複数の個別データを集約化した集約化データを送信するデータ送信装置であって，
前記集約化データをデータ受信装置に送信する際に，
前記個別のデータの区切りに関する区切り情報と，前記複数の個別データのうち最初に送信される個別データに関する冒頭データ情報とを，前記集約化データとともに無線信号として送信する，
データ送信装置。
【発明の詳細な説明】
【技術分野】
【０００１】
本発明は，データ送受信方法，データ送信装置，及びデータ受信装置に関し，無線を用いて，集約化されたデータを送受信するデータ送受信方法，並びに，集約化したデータを送信するデータ送信装置，及び集約化されたデータを受信するデータ受信装置などに関する。
【背景技術】
【０００２】
無線通信システムでは，無線送信機側でデータの集約化（ａｇｇｒｅｇａｔｉｏｎ）を行って，無線受信機へと送信することが行われている（たとえば，非特許文献１参照。）。データを集約化することで，無線通信のスループットが高まり，高速化を実現することができる。
【０００３】
ところで，集約化したデータを構成する個々のデータを互いに関連付けるためには，さまざまな制御情報が必要となる。この制御情報は，無線受信機側において，集約化されたデータを再現するための処理に必要となるものであり，この制御情報がない場合，無線受信機は，受信したデータを再現することができなくなる。
【０００４】
通常，集約化スキームの大部分に関しては，多重化されたＭＳＤＵ（ＭＡＣサービスデータユニット）やＭＰＤＵ（ＭＡＣプロトコルデータユニット）がまとめられ，一群のヘッダーセットとともに無線信号として送信される。ここで，ＭＰＤＵは，ＭＳＤＵと，それに関連するヘッダーとで構成されている。
【０００５】
そこで，無線信号には，ＭＳＤＵ番号を示すフィールドが定められている。ここで，ＭＳＤＵ番号とは，ＭＳＤＵやＭＰＤＵをそれぞれ特定するための番号である。そして，そのフィールドに含まれる情報が上記制御情報となる。
【０００６】
ＭＰＤＵを特定するためには，ＭＳＤＵで用いた識別情報と同じ識別情報を用いることが可能である。そのため，従来のＭＳＤＵ特定方法では，データ集積化処理で生成されたＭＳＤＵのそれぞれに対して１つのＭＳＤＵ番号を割り当てている。通常は，ＭＳＤＵ番号を示すために確保されたビット数は，小さくはない。ビット数が小さい場合には，ＭＳＤＵの範囲が極めて限定的なものとなることとなる。
【０００７】
さらに，データの集積化には，通常，フラグメンテーションを伴う。フラグメンテーションは，アプリケーションレイヤーからの膨大なデータブロックを扱うために設計されたものである。ＭＡＣ（ｍｅｄｉａ  ａｃｃｅｓｓ  ｃｏｎｔｒｏｌ）では，ＭＡＣレイヤーのデータフレームの限界を超えるほどの膨大なデータブロックが送信されてきた場合に，そのデータブロックが小さなフラグメントに分割される。そのため，各フラグメントに対しても同様に識別情報が必要となる。識別情報がないと，無線受信機は，オリジナルのＭＳＤＵを再構築することができなくなる。
【０００８】
ところで，集積化しようとしているデータのブロックは，通常，サブフレームと称される。サブフレームは，アプリケーションレイヤーからの直接的なＭＳＤＵの全体にもなり得るし，フラグメンテーションが利用された場合には，ＭＳＤＵからのフラグメントにもなり得る。サブフレームを特定するために，２次元識別情報が利用される。２次元識別情報の一方は，ＭＳＤＵ番号であり，他方は，フラグメント番号である。このようにしてフラグメントに対しても識別情報を与えることができる。
【０００９】
しかしながら，これらの識別情報（制御情報）は，無線送信機にとっても無線受信機にとってもオーバーヘッドとなる。
【００１０】
たとえば，サブフレームを構成するＭＳＤＵが０から５１２までの範囲内にあるＭＳＤＵ番号で特定される場合，９ビットが必要である。また，ＭＳＤＵを構成するフラグメントが０から１２８までの範囲内にあるフラグメント番号で特定される場合，７ビットが必要である。まとめると，各サブフレームを特定するためには，１６ビット（２オクテット）ものビット数が必要となる。そして，ＭＳＤＵが１メガオクテットにもおよぶデータ長をもつ場合，無線信号は，２０ビットのフィールドをもつ必要がある。
【００１１】
もう一方のオーバーヘッドは，サブフレーム長を示すフィールドに由来するものである。たとえば，２５６個のサブフレームを集約化して単一のフレームにする場合，ＭＳＤＵの識別情報とＭＳＤＵ長の提示に必要となるオーバーヘッドは，１２８０オクテット（＝２５６×（２＋３））にもなってしまう。
【先行技術文献】
【非特許文献】
【００１２】
【非特許文献１】ＩＥＥＥ，「ＩＥＥＥ  ８０２．１５  ＷＰＡＮ  Ｔａｓｋ  Ｇｒｏｕｐ  ３ｃ  （ＴＧ３ｃ）  Ｍｉｌｌｉｍｅｔｅｒ  Ｗａｖｅ  Ａｌｔｅｒｎａｔｉｖｅ  ＰＨＹ」，［ｏｎｌｉｎｅ］，平成２１年３月３１日，ＩＥＥＥ，（平成２１年３月３１日検索），インターネット，＜ＵＲＬ：http://www.ieee802.org/15/pub/TG3c.html＞
【発明の概要】
【発明が解決しようとする課題】
【００１３】
本発明は，データの集約化に伴うオーバーヘッドを低減することができるデータ送受信方法，データ送信装置，及びデータ受信装置を提供することを目的とする。
【課題を解決するための手段】
【００１４】
本発明は，基本的には，データ送受信方法などに関する。本発明のデータ送受信方法では，複数の個別データを集約化したデータが，無線を用いて送受信される。
【００１５】
データ送信装置は，データを送信可能な装置であり，集約化データをデータ受信装置に送信する際に，個別のデータの区切りに関する区切り情報と，複数の個別データのうち最初に送信される個別データに関する冒頭データ情報とを，集約化データとともに無線信号として送信する。データ受信装置は，データを受信可能な装置であり，冒頭データ情報と，区切り情報とに基づいて，複数の個別データを読み出す順序を決定する。
【００１６】
本発明によれば，データ送信装置は，個別データに関する情報の全てを送信する必要がない。また，データ受信装置においても，個別データに関する情報の全てを扱う必要がない。そのため，オーバーヘッドを低減させることができる。このため，データ送受信（無線通信）のスループットが高まり，パフォーマンスが高い。
【００１７】
また，本発明の側面では，上記無線信号が，ヘッダーと，サブフレームとを含む。ヘッダーは，データ受信装置に最初に送信されるものである。サブフレームは，ヘッダーに続いて送信されるものであり，集約化データを含んでいる。
【００１８】
ここで，上記ヘッダーは，第１のヘッダーと，当該第１のヘッダーに続いて送信される第２のヘッダーとを含む。この第１のヘッダーは，上記冒頭データ情報を含み，データ受信装置によって最初に受信される。第２のヘッダーは，区切り情報を含み，データ受信装置が冒頭データ情報を受信した後に受信される。このように，データ受信装置が受信する順序に合わせて情報が送信されるので，処理負荷と処理時間を軽減することができる。
【００１９】
また，本発明の他の側面では，個別データが，データユニット，又はデータユニットを分割したフラグメントであり，この場合，上記区切り情報は，フラグメントビットの末尾に割り当てられた１ビットのデータである。区切り情報が１ビットのデータで済むので，処理負荷や処理時間を軽減することができる。
【００２０】
さらに，本発明のさらに他の側面では，個別データが，ＭＳＤＵ，又はＭＳＤＵを分割したフラグメントであり，この場合，上記冒頭データ情報は，第１番目のＭＳＤＵの番号を示す情報と，当該第１番目のＭＳＤＵを構成するフラグメントのうちの第１番目のフラグメントの番号を示す情報であり，また，上記区切り情報は，フラグメントビットの末尾に割り当てられた１ビットのデータである。これにより，第２番目以降のＭＳＤＵやフラグメントは，冒頭データ情報を基準にして１ビットのデータで順次特定することができる。
【００２１】
また，本発明のまた他の側面では，上記区切り情報が，個別データのオフセット値を示す情報を含んでいる。これにより，データ受信装置は，個別データを読み出す順序を容易に特定することができる。
【００２２】
また，本発明の別の側面は，データ受信装置に関する。このデータ受信装置は，無線を用いて，複数の個別データを集約化した集約化データをデータ送信装置から受信するデータ受信装置であって，データ送信装置から，集約化データをデータ受信装置に送信する際に，個別のデータの区切りに関する区切り情報と，複数の個別データのうち最初に送信される個別データに関する冒頭データ情報とを，集約化データとともに受信し，冒頭データ情報と，区切り情報とに基づいて，複数の個別データを読み出す順序を決定する。このデータ受信装置によれば，上述したデータ送受信方法と同等の方法で無線信号を受信して，読み出す順序を決定するので，オーバーヘッドの低減に寄与することとなる。
【００２３】
さらに，本発明のさらに別の側面は，データ送信装置に関する。このデータ送信装置は，無線を用いて，複数の個別データを集約化した集約化データを送信するデータ送信装置であって，集約化データをデータ受信装置に送信する際に，個別のデータの区切りに関する区切り情報と，複数の個別データのうち最初に送信される個別データに関する冒頭データ情報とを，集約化データとともに無線信号として送信する。このデータ送信装置によれば，上述したデータ送受信方法と同等の方法で無線信号を送信するので，オーバーヘッドの低減に寄与することとなる。
【発明の効果】
【００２４】
本発明によれば，データの集約化に伴うオーバーヘッドを低減することができる。その結果，データ送受信のスループットが高まり，パフォーマンスを高めることができる。
【図面の簡単な説明】
【００２５】
【図１】本発明のデータ送受信方法の流れを示すフローチャートである。
【図２】図２は，本発明のデータ送受信方法で送受信されるデータに適用されるフレームフォーマットを示す模式図である。
【図３】図３は，図１の図１のステップＳ１０で送信対象となる集積化データを無線送信機が作成するときに行う集積化処理を説明するための図である。
【図４】図４は，図１のステップＳ２０における受信データのデコード処理を説明するための図である。
【発明を実施するための形態】
【００２６】
以下，図面を用いて本発明を実施するための最良の形態を説明する。しかしながら，以下説明する形態はある例であって，当業者にとって自明な範囲で適宜修正することができる。
【００２７】
図１は，本発明のデータ送受信方法の流れを示すフローチャートである。図１の処理は，無線通信システムを構成する無線送信機と無線受信機との間でデータの送受信（無線通信）を行う際に行われる。
【００２８】
図１において，まず，ステップＳ１０において，データ送信装置としての無線送信機は，無線を用いて，集積化データを無線受信機へと送信する。無線送信機は，集積化データを生成するにあたり，送信対象のデータの集積化を後述するように行う。
【００２９】
続いて，ステップＳ２０では，データ受信装置としての無線受信機は，無線送信機からの集積化データを受信して，そのデータのデコード（ｄｅ−ａｇｇｒｅｇａｔｉｏｎ）を行う。集積化データのデコード方法については後述する。以上のようにして，データの送受信が行われる。
【００３０】
まず，本発明のデータ送受信方法で送受信されるデータに適用されるフレームフォーマットについて説明する。図２は，本発明のデータ送受信方法で送受信されるデータに適用されるフレームフォーマットを示す模式図である。このフレームフォーマットを用いることにより，データ集積化に伴うオーバーヘッドを低減させることができる。
【００３１】
図２に示されるように，フレームフォーマットで定められるフィールドには，プリアンブル（ｐｒｅａｍｂｌｅ：前提部）と，ＰＨＹヘッダー（ＰＨＹ  ｈｅａｄｅｒ）と，ＭＡＣヘッダー（ＭＡＣ  ｈｅａｄｅｒ）と，ＭＡＣヘッダー用のヘッダーチェックシーケンス（ＨＣＳ）と，ＭＡＣサブヘッダー（ＭＡＣ  ｓｕｂｈｅａｄｅｒ）と，ＭＡＣサブヘッダー用のＨＣＳと，複数のサブフレーム（ｓｕｂｆｒａｍｅ）とがある。
【００３２】
プリアンブルは，物理層（ＰＨＹ：ｐｈｙｓｉｃａｌ  ｌａｙｅｒ）において実行されるものであり，時間の同期化と，チャネルの推定とを可能にするためにデータに添付される。プリアンブルは，ＰＨＹに合わせて設計される。ＰＨＹは，ネットワークの物理的な接続や伝送方式を定めたものである。
【００３３】
ＰＨＹヘッダーは，物理層での処理に必要な情報を書き込むためのものである。ＰＨＹレイヤー処理に必要な情報としては，変調及び符号化スキーム（ＭＣＳｓ：ｍｏｄｕｌａｔｉｏｎ  ａｎｄ  ｃｏｄｉｎｇ  ｓｃｈｅｍｅｓ）がある。ＰＨＹヘッダーも，ＰＨＹに合わせて設計される。
【００３４】
ＭＡＣヘッダーは，ＭＡＣ処理に必要な情報（ソースのアドレス及び宛先のアドレスや，ＱｏＳ情報など）を書き込むためのものである。なお，ＭＡＣヘッダーにおいてこれらの情報が書き込まれるフィールドは，Ｏｔｈｅｒ  Ｃｏｎｔｒｏｌ  Ｉｍｆｏｒｍａｔｉｏｎ  ｆｉｅｌｄと称されることもある。
【００３５】
また，本態様では，ＭＡＣヘッダーに対して，上記フィールドとは別に，２つのフィールドが設計される。１つのフィールドは，参照ＭＳＤＵ番号フィールドであり，もう１つのフィールドは，参照フラグメント番号である。参照ＭＳＤＵ番号フィールドには，第１サブフレームのＭＳＤＵ番号が書き込まれる。参照フラグメント番号フィールドには，第１サブフレームのフラグメント番号が書き込まれる。これらのフィールドは，データの集積化に際し，オーバーヘッドの軽減を実現するために設計されたものである。このようにして，ＭＡＣヘッダーには，第１番目のＭＳＤＵ（個別データ）及び第１番目のフラグメント（個別データ）に関する情報（冒頭データ情報）が含まれていることとなる。
【００３６】
ＭＡＣサブヘッダーは，複数のサブヘッダーから構成されるように，また，各サブヘッダーがサブフレームと対応付けられるように設計されたものである。
【００３７】
ここで，各サブヘッダーは，図２に示すように，ＭＣＳ情報フィールド（ＭＣＳ  ｉｎｆｏｒｍａｔｉｏｎ）と，ＦＣＳ情報（ＦＣＳ  ｉｎｆｏｒｍａｔｉｏｎ）フィールドと，リトライ（Ｒｅｔｒｙ）フィールドと，解像度提示（Ｒｅｓｏｌｕｔｉｏｎ  ｉｎｄｉｃａｔｉｏｎ）フィールドと，サブフレーム長（Ｓｕｂｆｒａｍｅ  ｌｅｎｇｔｈ）フィールドと，ＭＳＤＵオフセット（ＭＳＤＵ  ｏｆｆｓｅｔ）フィールドと，最終フラグメント（Ｌａｓｔ  ｆｒａｇｍｅｎｔ）フィールドと，予備（Ｒｅｓｅｒｖｅｄ）フィールドとを含んでいる。最終フラグメントフィールドには，フラグメントビットの末尾に後述する１ビットの情報（区切り情報）が書き込まれる。
【００３８】
各サブフレームは，図２に示すように，サブフレームのペイロードと，ＦＣＳフィールドとから構成される。
【００３９】
次に，図１のステップＳ１０で送信対象となる集積化データを無線送信機が作成するときに行う集積化処理について，図３を用いて説明する。図３は，図１の図１のステップＳ１０で送信対象となる集積化データを無線送信機が作成するときに行う集積化処理を説明するための図である。
【００４０】
図３に示すように，無線送信機は，アプリケーションレイヤーからの複数のＭＳＤＵを集積化する。図３に示す例では，４つのＭＳＤＵを集積化しようとする。これらのＭＳＤＵは，サブフレームのペイロードにマッピングされる。フラグメントを利用する場合，サブフレームのペイロードは，ＭＳＤＵ全体ではなく，ＭＳＤＵのフラグメントを含むことが好ましい。図３に示す例では，ＭＳＤＵ番号♯２のＭＳＤＵと♯３のＭＳＤＵについてフラグメントが利用されている。
【００４１】
続いて，無線送信機は，各サブフレームについて，サブヘッダーを生成する。生成された全てのサブヘッダーは，互いに結合され，ＭＡＣサブヘッダーを形成する。したがって，ＭＡＣサブヘッダーには，ＭＳＤＵオフセットなどの情報が含まれていることになる。そして，このように形成されたＭＡＣサブヘッダーは，保護用の分離ＨＣＳ（ｓｐａｒａｔｅｄ  ＨＣＳ）に添付される。
【００４２】
ここで，ＭＡＣサブヘッダーに例えば８つのサブヘッダーを設定可能な場合において，４つのサブヘッダーしか用いないときは，無線送信機は，残りの４つのサブフレームのサブフレーム長フィールドに０をセットする。これにより，無線送信機は，対応するサブフレームが現在のフレーム（送信データ）に存在しないことを，無線受信機に示すことが可能となる。
【００４３】
また，無線送信機は，ＰＨＹヘッダーとＭＡＣヘッダーも生成する。このとき，ＭＡＣサブヘッダーには，第１サブフレーム（Ｓｕｂｆｒａｍｅ♯１）のＭＳＤＵ番号とフラグメント番号が書き込まれている。なお，第１サブフレームに，フラグメントがない場合には，フラグメント番号として♯１がセットされる。
【００４４】
以上のようにして，無線送信機は，データの集積化を完了する。図３に示す例では，４つのＭＳＤＵのうち，ＭＳＤＵ♯１と，ＭＳＤＵ♯２と，ＭＳＤＵ♯３の一部が集積されている。そして，無線送信機は，まず，電波（無線）を用いて，プリアンブルと，それに続くＰＨＹヘッダー及びＭＡＣヘッダーとを送信する。続いて，無線送信機は，ＭＡＣサブヘッダーと，それに続くサブフレームとを送信する。
【００４５】
次に，図１のステップＳ２０における受信データのデコード処理（ｄｅ−ａｇｇｒｅｇａｔｉｏｎ  ｐｒｏｃｅｄｕｒｅ）について，図４を用いて詳細に説明する。図４は，図１のステップＳ２０における受信データのデコード処理を説明するための図である。
【００４６】
無線受信機は，無線送信機からデータ（無線）を受信すると，受信したデータの冒頭にあるプリアンブルを検知することで，無線送信機からさらにフレームが続いて送信されてくることを把握する。そして，無線受信機は，ＭＡＣヘッダー用のＨＣＳが正常に通った後に，ＰＨＹヘッダーとＭＡＣヘッダーとを読み込み，データ集積化済みの第１サブフレームのＭＳＤＵ番号とフラグメント番号とを取得する。
【００４７】
続いて，無線受信機は，ＭＡＣサブヘッダー用のＨＣＳが通った後，ＭＡＣサブヘッダーを読み込むことで，各サブフレームに対応するサブヘッダーに含まれている情報を取得する。これにより，各サブフレームを受信するための準備が整うこととなる。
【００４８】
各サブフレームに対応するデータ（ＭＳＤＵ）を再現するために，無線受信機は，以下の手順で，各サブフレームのＭＳＤＵ番号やフラグメント番号を特定する。
【００４９】
まず，無線受信機は，ＭＡＣヘッダーから，第１サブフレームのＭＳＤＵ番号とフラグメント番号を取得する（上述のとおり）。
【００５０】
続いて，無線受信機は，ＭＡＣヘッダーから取得したＭＳＤＵ番号に，ＭＳＤＵオフセットの値を加算することで，サブフレームのＭＳＤＵ番号を算出する。ＭＳＤＵオフセットの値は，ＭＡＣサブヘッダー内に格納されている。ＭＳＤＵオフセットは，複数のデータを読み出すタイミングをずらすためのものであり，無線受信機にとっては容易にタイミングを決定することができる情報である。また，このように，冒頭のサブフレームの情報を得た後に，後続のサブフレームの情報を得ることができるので，サブフレームを読み出す順序の決定を円滑に行うことができる。
【００５１】
また，無線受信機は，サブフレームのフラグメント番号を算出する。具体的には，第１サブフレームのフラグメント番号は，ＭＡＣヘッダーから取得したフラグメント番号に相当する。また，第２サブフレーム以降のサブフレームのフラグメント番号は，前回のサブフレームのフラグメントビットの末尾１ビットが０（ゼロ）にセットされている場合，前回のサブフレームのフラグメント番号に１を加算することで算出される。なお，前回のサブフレームのフラグメントビットの末尾が０（ゼロ）にセットされていない場合，フラグメント番号は，１にリセットされる。これにより，次のサブフレームにフラグメントが利用されている場合，第１フラグメントのフラグメント番号は，♯１（＝０＋１）となる。
【００５２】
ところで，無線受信機は，ＭＡＣヘッダー内のＭＳＤＵ番号やフラグメント番号とともに，フラグメントビットの末尾を用いることで，各サブフレームのＭＳＤＵ番号やフラグメント番号を，ＭＳＤＵオフセットを用いることなく，算出することができる。具体的には，無線受信機は，ＭＡＣヘッダー内のＭＳＤＵ番号と，フラグメントビットの末尾が１にセットされていた回数とで，ＭＳＤＵ番号を算出することができる。また，フラグメント番号は，ＭＡＣヘッダー内のフラグメント番号と，フラグメントビットの末尾が０にセットされていた回数とで算出することができる。たとえば，ＭＳＤＵ番号１のＭＳＤＵにフラグメンテーションが利用されておらず，ＭＳＤＵ番号♯２のＭＳＤＵがフラグメンテーションにより２つのフラグメントに分割されていた場合，第３サブフレームのＭＳＤＵ番号は，♯２であり，これは，ＭＡＣヘッダー内のＭＳＤＵ番号♯１と，フラグメントビットの末尾が１にセットされていた回数：１回との和に相当する。その場合のフラグメント番号は，♯２であり，ＭＡＣヘッダー内のフラグメント番号♯１と，フラグメントビットの末尾が０にセットされていた回数：１回との和に相当する。
【００５３】
言い換えると，無線送信機は，フラグメントビットの末尾を１にセットすることで，無線受信機側において，ＭＳＤＵ番号が１つインクリメントされるように集積化データを作成しており，また，フラグメントビットの末尾を０にセットすることで，無線受信機側において，フラグメント番号が１つインクリメントされるように集積化データを作成している。
【００５４】
したがって，無線受信機は，ＭＳＤＵオフセットを用いてＭＳＤＵ番号を算出した場合と，フラグメントビットの末尾を用いてＭＳＤＵ番号を算出した場合とを比較することで，ＭＳＤＵ番号を二重にチェックすることができる。これにより，データのデコードの再現性を確かめることができる。なお，二重チェックの結果，算出したＭＳＤＵ番号が互いに一致しない場合には，対応するサブフレームを，エラーとみなして排除（ｄｒｏｐ）するように無線受信機を構成してもよい。
【００５５】
また，無線受信機は，サブフレームにおいてエラーが検出された場合，Ｂｌｋ−ＡＣＫビットマップを用いて，無線送信機に対して再送信を行うよう通知することが好ましい（再送信制御）。その場合，無線送信機は，無線受信機が再送信のデータを特定可能な程度にオリジナルの順序と同じ順序でデータの再送信を行う。
【００５６】
そして，無線受信機は，エラーを検出することなく，各サブフレームのＭＳＤＵ番号とフラグメント番号を特定することができたら，その順序に従ってサブフレームを読み出すことにより，オリジナルのデータをデコード（再現）することができる。
【００５７】
以上詳細に説明したことから明らかなように，本態様では，ＭＳＤＵ番号とフラグメント番号をサブフレームの各々に対して付与することに代えて，たった１つのビットをフラグメントビットの末尾に割り当てる。これにより，本発明によれば，無線送信機は，個別のデータに関する情報の全てを送信する必要がない。また，無線受信機においても，個別データに関する情報の全てを扱う必要がない。したがって，各サブフレームを特定するために必要なＭＳＤＵオフセット用のビットのビット数を非常に小さくすること，具体的にはほとんどなくすことができる。その結果，処理負荷と処理時間の大幅な軽減を図ることができ，データ集積化に伴うオーバーヘッドを低減することができる。
【００５８】
したがって，上述したデータ送受信方法を採用した無線通信システムでは，無線通信のスループットが高まり，パフォーマンスが高い。また，データ集積化に際しオーバーヘッドが少ないデータ送信機や，集積化データをオーバーヘッドが少ない状態でデコード（再現）することができるデータ受信装置を提供することができる。
【００５９】
さらには，上述した態様において，分解能ビットを利用することで，サブフレーム長を示に必要なビット数も大幅に小さくすることができる。分解能ビットは，解像度提示（Ｒｅｓｏｌｕｔｉｏｎ  ｉｎｄｉｃａｔｉｏｎ）フィールドに書き込まれている。したがって，本態様では，この点においてもオーバーヘッドを低減することができる。
【００６０】
また，上述した態様は，主に，データ送受信方法に関するものであった。しかし，上記態様において説明したフィールドを含むデータのフォーマットやフレーム構造も本発明又は本発明の一部を構成することとなる。また，上述した処理（データ集積化処理や集積化データのデコード処理）の一部又は全部に対応するプログラム（アルゴリズム）や当該プログラムを記憶した情報記憶媒体も，本発明又は本発明の一部を構成するのはいうまでもない。
【産業上の利用可能性】
【００６１】
本発明は，無線通信を行う分野で好適に利用することができ，特に，高速の無線通信システムに適用することができる。
【図１】
2010251990.tif 000003
【図２】
2010251990.tif 000004
【図３】
2010251990.tif 000005
【図４】
2010251990.tif 000006